(57)【要約】【課題】必要に応じてカウンター天板をキッチン本体の上に拡張することのできるオープンタイプのシステムキッチンを提供する。【解決手段】本考案は、流し台２と調理台３と加熱台４とを有するキッチン本体５と、キッチン本体５の上面６より高くなるように設置されたカウンター天板７とを備えたオープンタイプのシステムキッチンであって、カウンター天板７と同一の高さになるようにキッチン本体５上に設けられるサブ天板８を備えていることを特徴とする。【選択図】図１
0003134704.tif 000002
【実用新案登録請求の範囲】
【請求項１】
流し台と調理台と加熱台とを有するキッチン本体と、該キッチン本体の上面より高くなるように設置されたカウンター天板とを備えたオープンタイプのシステムキッチンであって、
前記カウンター天板と同一の高さになるように前記キッチン本体上に設けられるサブ天板を備えていることを特徴とするオープンタイプのシステムキッチン。
【請求項２】
前記サブ天板には前記流し台に設置されている上方突起物に合わせて切欠部が形成されている請求項１に記載のオープンタイプのシステムキッチン。
【請求項３】
前記サブ天板は前記調理台の上にのみ設けられている請求項１に記載のオープンタイプのシステムキッチン。
【請求項４】
前記キッチン本体の内部には、前記サブ天板を鉛直姿勢で収容するサブ天板収容部が設けられており、該サブ天板収容部内を前記サブ天板が上下方向にスライド可能なように形成されている請求項１〜３のいずれか１の請求項に記載のオープンタイプのシステムキッチン。
【考案の詳細な説明】
【技術分野】
【０００１】
本考案は、台所とリビングルーム又はダイニングルームとの間に設置されるオープンタイプのシステムキッチンに関する。
【背景技術】
【０００２】
近年、マンションや戸建て住宅のシステムキッチンとして、台所とリビングルームとの間に設置されるオープンタイプのシステムキッチンが広く普及している。
【０００３】
この従来のオープンタイプのシステムキッチンには、流し台、調理台、加熱台（ガスコンロや電気ヒータ等）を備えたキッチン本体と、ダイニングテーブルとして利用可能なカウンター天板とが設けられている。そして、前記流し台や調理台等に置かれた食器や食材がリビングルームやダイニングルームから見え難くする等の配慮から、前記カウンター天板は、キッチン本体の上面より高くなるように取り付けられていることが多い（例えば、特許文献１参照）。
【特許文献１】特開２００６−３３４１１４号公報
【考案の開示】
【考案が解決しようとする課題】
【０００４】
しかしながら、上記した従来のオープンタイプのシステムキッチンでは、カウンター天板を余り大きくすると、リビングルームやダイニングルームのスペースが狭くなったり、或いは、カウンター天板を支持する構造が大掛かりになってシステムキッチンのコストアップの要因になったりするといった問題があるため、カウンター天板はある程度の大きさに制限されていた。そのため、カウンター天板は、少人数が食事をしたりするのに利用されているに過ぎず、余り有効利用が図られていないといった問題があった。
【０００５】
また、流し台等に置かれた洗浄前の状態の食器が、リビングルームやダイニングルームから見えることがあり、見苦しいといった問題もあった。
【０００６】
本考案は、上記した課題を解決すべくなされたものであり、必要に応じてカウンター天板をキッチン本体の上に拡張することのできるオープンタイプのシステムキッチンを提供することを目的とするものである。
【課題を解決するための手段】
【０００７】
本考案は、流し台と調理台と加熱台とを有するキッチン本体と、該キッチン本体の上面より高くなるように設置されたカウンター天板とを備えたオープンタイプのシステムキッチンであって、前記カウンター天板と同一の高さになるように前記キッチン本体上に設けられるサブ天板を備えていることを特徴とする。
【０００８】
そして、前記サブ天板には前記流し台に設置されている上方突起物に合わせて切欠部が形成されていてもよい。
【０００９】
また、前記サブ天板は前記調理台の上にのみ設けられていてもよい。
【００１０】
さらに、前記キッチン本体の内部には、前記サブ天板を鉛直姿勢で収容するサブ天板収容部が設けられており、該サブ天板収容部内を前記サブ天板が上下方向にスライド可能なように形成されていてもよい。
【考案の効果】
【００１１】
本考案によれば、サブ天板８をキッチン本体上に設置することにより、カウンター天板をキッチン本体上まで拡張することができるため、友人や親族が集まった時に大人数で食事をする場合等であっても、カウンター天板を利用することができ、カウンター天板の有効利用を図ることができる。
【００１２】
また、これにより、ダイニングルームにダイニングテーブルを設置するスペースを排除することができるため、室内空間の有効利用を図ることもできる。
【００１３】
さらにまた、サブ天板をキッチン本体上に設置することにより、キッチン本体上に置かれた洗浄前の状態の食器等を簡単に隠すことができ、急なお客様の訪問等にも安心して対応することができる。
【考案を実施するための最良の形態】
【００１４】
以下、図１〜図５を参照しつつ、本考案の実施の形態について説明する。ここで、図１は本考案の実施の形態に係るオープンタイプのシステムキッチンを示す斜視図、図２は同オープンタイプのシステムキッチンのサブ天板を示す斜視図、図３は同オープンタイプのシステムキッチンにおいてキッチン本体の流し台と調理台の上面にサブ天板を設置した状態を示す斜視図である。
【００１５】
本考案の実施の形態に係るオープンタイプのシステムキッチン１は、流し台２と調理台３と加熱台４（ガスコンロや電気ヒータ等）とを有するキッチン本体５と、キッチン本体５の上面６より高くなるように設置されたカウンター天板７と、カウンター天板７と同一の高さになるようにキッチン本体５上に設けられるサブ天板８を備えて構成されている。
【００１６】
図２に良く示されているように、サブ天板８は、流し台２と調理台３を覆う大きさを有する平板部９と、平板部９の下面側に固定された脚部１０とを備えて構成されている。平板部９には、表面にカウンター天板７と同一の仕上げが施されていると共に、流し台２に設置されている蛇口１１等の上方突起物に合わせて切欠部１２が形成されている。また、脚部１０の下端部にはクッション材１３が取り付けられており、これにより、流し台２や調理台３の表面の損傷が防止されるようになっている。
【００１７】
そして、このような構成を備えたサブ天板８を、図３に示すように、キッチン本体５の流し台２及び調理台３の上に載置することにより、カウンター天板７を流し台２及び調理台３の上まで拡張することができる。したがって、友人や親族が集まった時に大人数で食事をする場合等であっても、カウンター天板７を利用することができ、カウンター天板７の有効利用を図ることができる。また、これにより、ダイニングルームにダイニングテーブルを設置するスペースを排除することができるため、室内空間の有効利用を図ることもできる。さらにまた、サブ天板８を流し台２及び調理台３の上に載置することにより、流し台２や調理台３に置かれた洗浄前の状態の食器等を簡単に隠すことができ、急なお客様の訪問等にも安心して対応することができる。
【００１８】
なお、上記した実施の形態では、サブ天板８がキッチン本体５の流し台２と調理台３の両方を覆うように形成されているが、これは単なる例示に過ぎず、例えば、図４に示すように調理台３のみを覆うように形成したり、或いは流し台２のみを覆うように形成したり、或いは加熱台４まで覆うように形成する等、流し台２、調理台３、加熱台４とカウンター天板８の配置に合わせて各種変更が可能である。
【００１９】
また、図５及び図６に示すように、キッチン本体５の内部に、サブ天板８を鉛直姿勢で収容するサブ天板収容部１４を設け、該サブ天板収容部１４内を、サブ天板８が上下方向にスライド可能なように形成してもよい。
【００２０】
この場合、例えば、サブ天板８の脚部１０にはローラ１５が枢支され、先端部の下面側に凹部１６が形成されていると共に、基端部に連結バネ１７の一端が枢支されている。また、サブ天板収容部１４の側板１８には上下方向にガイド溝１９が形成され、連結バネ１７の他端が枢支されたスライダー２０がこのガイド溝１９に沿って上下方向に摺動可能となっている。
【００２１】
このような構成において、図５に示すように、サブ天板８をサブ天板収容部１４に収容した状態から、蓋部２２を取り除き、凹部１６を把持してサブ天板８を上方に引っ張ると、ローラ１５が側板１８上を転動すると共に、スライダー２０がガイド溝１９に沿って上下方向に摺動する。そして、スライダー２０がストッパ部２１に係止し、サブ天板８がサブ天板収容部１４から完全に引き出された状態（図６の二点鎖線参照）からサブ天板８を９０度回転させ、キッチン本体５の上に設置する。一方、サブ天板８をサブ天板収容部１４に収容させるには、上記したのと逆の手順で行う。
【００２２】
このようにサブ天板８をキッチン本体５の内部に収容させることにより、サブ天板８の収容スペースを別途確保する必要がなくなり、室内空間の有効利用を図ることができる。また、サブ天板収容部１４においてサブ天板８をスライドさせることにより、サブ天板８をサブ天板収容部１４から引き出したり、或いはサブ天板収容部１４に収容したりすることを容易且つ確実に行うことができるため、サブ天板３の設置及び取り外し作業の簡素化を図ることができる。
【図面の簡単な説明】
【００２３】
【図１】本考案の実施の形態に係るオープンタイプのシステムキッチンを示す斜視図である。
【図２】本考案の実施の形態に係るオープンタイプのシステムキッチンのサブ天板を示す斜視図である。
【図３】本考案の実施の形態に係るオープンタイプのシステムキッチンにおいてキッチン本体の流し台と調理台の上面にサブ天板を設置した状態を示す斜視図である。
【図４】本考案の実施の形態に係るオープンタイプのシステムキッチンにおいてキッチン本体の調理台の上面にサブ天板を設置した状態を示す斜視図である。
【図５】本考案の実施の形態に係るオープンタイプのシステムキッチンにおいてサブ天板をサブ天板収容部に収容した状態を示す断面図である。
【図６】本考案の実施の形態に係るオープンタイプのシステムキッチンにおいてサブ天板収容部から取り出したサブ天板をキッチン本体の上面に設置した状態を示す断面図である。
【符号の説明】
【００２４】
１          オープンタイプのシステムキッチン
２          流し台
３          調理台
４          加熱台
５          キッチン本体
６          上面
７          カウンター天板
８          サブ天板
１１        上方突起物
１２        切欠部
１４        サブ天板収容部
【図１】
0003134704.tif 000003
【図２】
0003134704.tif 000004
【図３】
0003134704.tif 000005
【図４】
0003134704.tif 000006
【図５】
0003134704.tif 000007
【図６】
0003134704.tif 000008
【手続補正書】
【提出日】平成19年6月11日(2007.6.11)
【手続補正１】
【補正対象書類名】明細書
【補正対象項目名】００１８
【補正方法】変更
【補正の内容】
【００１８】
なお、上記した実施の形態では、サブ天板８がキッチン本体５の流し台２と調理台３の両方を覆うように形成されているが、これは単なる例示に過ぎず、例えば、図４に示すように調理台３のみを覆うように形成したり、或いは流し台２のみを覆うように形成したり、或いは加熱台４まで覆うように形成する等、流し台２、調理台３、加熱台４とカウンター天板７の配置に合わせて各種変更が可能である。
【手続補正２】
【補正対象書類名】明細書
【補正対象項目名】００２２
【補正方法】変更
【補正の内容】
【００２２】
このようにサブ天板８をキッチン本体５の内部に収容させることにより、サブ天板８の収容スペースを別途確保する必要がなくなり、室内空間の有効利用を図ることができる。また、サブ天板収容部１４においてサブ天板８をスライドさせることにより、サブ天板８をサブ天板収容部１４から引き出したり、或いはサブ天板収容部１４に収容したりすることを容易且つ確実に行うことができるため、サブ天板８の設置及び取り外し作業の簡素化を図ることができる。
【手続補正３】
【補正対象書類名】図面
【補正対象項目名】図１
【補正方法】変更
【補正の内容】
【図１】
0003134704.tif 000009